(57)【要約】【課題】特性に優れ微調整が容易であり且つ安価なフィルタ回路及びこれを用いた共同受信用フィルタ回路を提供する。【解決手段】 少なくとも絶縁板に形成した共振回路を容量性リアクタンスを介して前記絶縁板に形成した伝送経路に接続するように構成したフィルタ回路からなる共同受信用フィルタ回路において，  前記容量性リアクタンスは，一方は前記共振回路に接続されると共に，他方側は伝送線路の配設方向と略同じ方向となるように相互に沿わせるように配設したジャンパー線で，前記伝送線路に容量結合するように構成し可変自在の微小容量を形成した。【選択図】  図３
2006197027.tif 000002
【特許請求の範囲】
【請求項１】
少なくとも絶縁板に形成した共振回路を容量性リアクタンスを介して前記絶縁板に形成した伝送経路に接続するように構成したフィルタ回路からなる共同受信用フィルタ回路において，
前記容量性リアクタンスは，一方は前記共振回路に接続されると共に，他方側は伝送線路の配設方向と略同じ方向となるように相互に沿わせるように配設したジャンパー線で，前記伝送線路に容量結合するように構成したことを特徴とした共同受信用フィルタ回路。
【請求項２】
前記ジャンパー線の少なくとも伝送線路と結合する部分の周面には絶縁材を備えたことを特徴とした請求項１の共同受信用フィルタ回路。
【請求項３】
前記フィルタ回路は，コンデンサーとコイルからなる並列共振回路と前記容量性リアクタンスとでもってトラップ回路であるように構成したことを特徴とした請求項１又は請求項２に記載の共同受信用フィルタ回路。
【請求項４】
前記共同受信用フィルタ回路は，少なくとも請求項３に記載のトラップ回路を備えてなるバンドエリミネーションフィルタであることを特徴とした共同受信用フィルタ回路。
【請求項５】
絶縁板には少なくとも前記ジャンパー線と対向する前記伝送線路の近傍にマスキングを施したことを特徴とした請求項１乃至請求項４に記載の共同受信用フィルタ回路。
【請求項６】
前記伝送線路の幅は，前記ジャンパー線の幅と略等しいかやや大きく形成され，前記ジャンパー線の寸法は所定のキャパシタンスを得られる長さに形成したことを特徴とした請求項１乃至請求項５に記載の共同受信用フィルタ回路。
【発明の詳細な説明】
【技術分野】
【０００１】
本発明は，主にテレビ共同受信機器に利用されるフィルタ回路に関し，詳しくはそのフィルタ回路の回路構成に関する。
【背景技術】
【０００２】
従来，例えばＵＨＦ帯におけるトラップを設計する時は，コイルとコンデンサーとから成る並列共振回路に容量性リアクタンスを介して伝送線路に接続する容量結合のトラップ回路を用いることが多かった。
（例えば，特許文献１参照）
【０００３】
【特許文献１】特開２００１−１３６４０８号公報
【発明の開示】
【発明が解決しようとする課題】
【０００４】
しかし，従来のトラップ回路によると前記容量性リアクタンスとして，コンデンサーを用いるのであるが，通常このコンデンサーは１ｐＦ以下の容量のものが使用される場合が多く，上述のように急峻な特性を必要とする場合は，例えば０．２〜０．５ｐＦ程度の微小な容量が要求される。このような微小な容量を実現するためには，コンデンサーを複数個接続して希望の容量を実現する方法を取るのであるが，この方法では希望する容量を得ることが困難であった。
そこで本願においては，こうした問題点を解決するためになされたものであり，
その目的は，安価で特性の良いフィルタ回路を提供することにある。
その目的は，特性のよいトラップ回路を安価に提供することにある。
他の目的は，実装効率の優れたトラップ回路を提供することにある。
他の目的は，微小な容量で結合したトラップ回路を提供する。
他の目的は，簡単な構成で，可変可能な微小容量で結合したトラップ回路を提供することに有る。
他の目的は，簡単な構成で，可変可能な微小容量で結合したトラップ回路の製造方法を提供することにある。
他の目的は，前記トラップ回路を備えたバンドエリミネーションフィルタを提供することにある。
【課題を解決するための手段】
【０００５】
上記課題を解決するために，請求項１の発明は，少なくとも絶縁板に形成した共振回路を容量性リアクタンスを介して前記絶縁板に形成した伝送経路に接続するように構成したフィルタ回路からなる共同受信用フィルタ回路において，
前記容量性リアクタンスは，一方は前記共振回路に接続されると共に，他方側は伝送線路の配設方向と略同じ方向となるように相互に沿わせるように配設したジャンパー線で，前記伝送線路に容量結合するように構成した。
【０００６】
請求項２の発明は，請求項１の発明において，前記ジャンパー線の少なくとも伝送線路と結合する部分の周面には絶縁材を備えた。
【０００７】
請求項３の発明は，請求項１又は請求項２に記載の共同受信用フィルタ回路において，  前記フィルタ回路は，コンデンサーとコイルからなる並列共振回路と前記容量性リアクタンスとでもってトラップ回路であるように構成した。
【０００８】
請求項４の発明は，前記共同受信用フィルタ回路は，少なくとも請求項３に記載のトラップ回路を備えてなるバンドエリミネーションフィルタであるように構成した。
【０００９】
請求項５の発明は，請求項１乃至請求項４に記載の共同受信用フィルタ回路において，  絶縁板には少なくとも前記ジャンパー線と対向する前記伝送線路の近傍にマスキングを施したことを特徴とした。
【００１０】
請求項６の発明は，請求項１乃至請求項４に記載の共同受信用フィルタ回路において，  前記伝送線路の幅は，前記ジャンパー線の幅と略等しいかやや大きく形成され，前記ジャンパー線の寸法は所定のキャパシタンスを得られる長さに形成した。
【発明の効果】
【００１１】
請求項１の発明によれば，少なくとも絶縁板に形成した共振回路を容量性リアクタンスを介して前記絶縁板に形成した伝送経路に接続するように構成したフィルタ回路からなる共同受信用フィルタ回路において，
前記容量性リアクタンスは，一方は前記共振回路に接続されると共に，他方側は伝送線路の配設方向と略同じ方向となるように相互に沿わせるように配設したジャンパー線で，前記伝送線路に容量結合するように構成したので，
微小容量の容量性リアクタンスが安価に作成できる。またその可曲性によって，微小容量の調整が可能で安定性の良いフィルタ回路を提供できる。。
【００１２】
請求項２の発明によれば，請求項１の発明において，前記ジャンパー線の少なくとも伝送線路と結合する部分の周面には絶縁材を備えたので，
例えば，伝送線路とジャンパー線を近接させて配置した場合であっても，伝送線路と結合手段は絶縁材によって短絡することがない。
【００１３】
請求項３の発明によれば，請求項１又は請求項２に記載の共同受信用フィルタ回路において，前記フィルタ回路は，コンデンサーとコイルからなる並列共振回路と前記容量性リアクタンスとでもってトラップ回路であるように構成したので，
生産効率がよく且つ安価なトラップ回路を提供できる。
【００１４】
請求項４の発明によれば，前記共同受信用フィルタ回路は，少なくとも請求項３に記載のトラップ回路を備えてなるバンドエリミネーションフィルタであるように構成したので，  生産効率がよく且つ安価なバンドエリミネーションフィルタを提供できる。
【００１５】
請求項５の発明によれば，請求項１乃至請求項４に記載の共同受信用フィルタ回路において，絶縁板には少なくとも前記ジャンパー線と対向する前記伝送線路の近傍にマスキングを施したので，
伝送線路とジャンパー線とが絶縁されるため短絡しない。
【００１６】
請求項６線路の幅は，請求項１乃至請求項５に記載の共同受信用フィルタ回路において，前記ジャンパー線の幅と略等しいかやや大きく形成され，前記ジャンパー線の寸法は所定のキャパシタンスを得られる長さに形成したので，
ジャンパー線によって形成される微小容量によって，生産効率が良く安価なフィルタ回路が作成できる。またジャンパー線の可曲性によって，微小容量の調整が簡単にでき，特性が良く且つ調整が容易なフィルタ回路を提供できる。
【発明を実施するための最良の形態】
【００１７】
以下に，本発明を具体化した実施形態の例を，図面を基に詳細に説明する。
図１は本願に係るフィルタ回路を備えた共同受信用フィルタ回路の実施例である。図２は図１に示す共同受信用フィルタ回路の周波数特性例を示す，図３は共同受信用フィルタ回路をプリント基板に実装した例を示す正面図である。図４は図３におけるＡ−Ａ線断面図である。
【実施例１】
【００１８】
図１は本願に係るフィルタ回路を備えた共同受信用フィルタ回路の例であり，この実施例ではＵＨＦ帯の電波を混合する混合回路を示し，地元の放送局及びサテライト局の電波と，遠方にあって前記サテライト局とは到来方向が異なる電波をそれぞれ異なるアンテナで受信し混合するための混合器である。
近年開始したＵＨＦ帯を利用した地上ディジタル放送のチャンネルは，ＵＨＦ帯の低域側に割り当てられて，２０１１年までＵＨＦ帯の地上アナログ放送とのサイマル放送となる。このため，従来からあるＵＨＦ帯の地上アナログ放送波は，チャンネルがそのまま据え置かれたものもあれば，ディジタル放送に影響のないようにチャンネルを変更する対策がなされた。しかしながらテレビを見る側のユーザー側から見れば，従来の地上アナログ放送が地上ディジタル放送に影響されることなく見ることができなければならないし，更に加えて，地上ディジタル放送も見ることができるような受信システムが望まれるのである。ところが，地上アナログ放送と地上ディジタル放送との間にレベル差があったり，地上アナログ放送の電波の間でも，地元放送局の強い電波の地上アナログ放送と，遠方の弱い電波の地上アナログ放送とのようにレベルが異なったり，周波数が近接したり，更には，地上ディジタルでは広域放送と県域放送があったり，その受信システムはそれぞれの地域において最適なフィルタ等の組合せでもって対応する必要がある。
【００１９】
本願の実施例に示すフィルタ回路では，ＩＮＰＵＴ１はＵＨＦアンテナで受信した県域放送や地元に設置されたサテライト局からの電波を入力するための入力端子であり，例えばＩＮＰＵＴ１にはＵＨＦ帯のｃｈ２７〜ｃｈ４４の周波数帯にある地上ディジタル放送波及び地上アナログ放送波の信号が入力されるように構成されている。
ＩＮＰＵＴ２には，遠方にある送信塔からの電波である，ｃｈ１３〜ｃｈ２５の地上ディジタル放送波，及び特定の信号であるｃｈ３５の地上アナログ放送波を入力するための入力端子である。
【００２０】
先ず，ＩＮＰＵＴ１から入力された信号流れについて説明する。ＩＮＰＵＴ１から入力された地元のｃｈ２７〜４４の信号は，コンデンサーＣ１を介して切替スイッチＳＷ１に入力される。この切替スイッチＳＷ１は入力された信号を，通過させるか抵抗Ｒ１，Ｒ２，Ｒ３からなるアッテネーター回路を通過させるかを選択的に切替可能に切替するためのものである。
次にＳＷ１を通過したｃｈ２７〜４４の信号は，バンドエルミネイトフィルタＢＥＦ（以下，ＢＥＦと記載する。）に入力される。このＢＥＦはコンデンサーＣ２〜Ｃ９とコイルＬ１〜Ｌ５からなり，この内のコンデンサーＣ９とコイルＬ５との並列共振回路とコンデンサーＣ８とで請求孔に記載のフィルタ回路の実施例としてのトラップ回路を構成している。尚，本願の実施例ではこのＢＥＦは少なくとも特定の信号であるｃｈ３５を阻止帯域としており，ＯＵＴＰＵＴ１から特定の信号であるｃｈ３５が入力されるのを防止するためのものである。
ＢＥＦを通過した少なくとも特定の信号であるｃｈ３５を除くｃｈ２７〜４４の信号はハイパスフィルタＨＰＦ（以下，ＨＰＦと記載する。）に入力される。このＨＰＦはコンデンサーＣ１０〜Ｃ１３とコイルＬ６〜Ｌ８からなり，ｃｈ１３〜ｃｈ２５を阻止帯域とし，ｃｈ２７〜４４を通過帯域とするように構成されており，このＨＰＦを通過した信号はコンデンサーＣ１７を介してＯＵＴＰＵＴから出力される。
【００２１】
次にＩＮＰＵＴ２から入力された信号の流れについて説明する。ＩＮＰＵＴ２から入力されたｃｈ１３〜２５の信号及び特定の信号であるｃｈ３５の信号は，コンデンサーＣ２１を介して切替スイッチＳＷ２に入力される。この切替スイッチＳＷ２は入力された信号を，通過させるか抵抗Ｒ２１，Ｒ２２，Ｒ２３からなるアッテネーター回路を通過させるかを選択的に切替可能に切替するためのものである。
次にＳＷ２を通過したｃｈ１３〜２５及び特定の信号であるｃｈ３５の信号は，トラップ回路ＴＲＦ（以下，ＴＲＦと記載する。）に入力される。このＴＲＦはコンデンサーＣ２２とコイルＬ９並列共振回路とコンデンサーＣ２２とからなり，地元の放送局からの電波である地上アナログ放送のｃｈ３３の信号を阻止し，遠方の放送局からの電波であるｃｈ３５の受信に影響を与えないようにするためのものである。尚，このＴＲＦが請求項に記載のトラップ回路である。
【００２２】
ＴＲＦを通過したｃｈ１３〜２５及び特定の信号であるｃｈ３５の信号は，バンドパスフィルタＢＰＦ（以下，ＢＰＦと記載する。）とローパスフィルタＬＰＦ（以下，ＬＰＦと記載する。）の相互接続点に伝送される。
ＢＰＦはコンデンサーＣ２４〜Ｃ３３とコイルＬ１０〜Ｌ１４からなり，少なくともＩＮＰＵＴから入力された信号の内から特定の信号であるｃｈ３５を通過させ，ｃｈ３３より低いチャンネル及びｃｈ４４より高いチャンネルを阻止帯域とするように構成されており，遠方の放送局からの電波であるｃｈ３５の信号を，地元の放送局から送信されている信号（例えばｃｈ３３）に影響されることなく受信するためのものである。
【００２３】
ＬＰＦはコンデンサーＣ３８〜４０とコイルＬ１５〜２１からなり，ＩＮＰＵＴ２から入力された信号の内のｃｈ１３〜２５を通過帯域とし，ｃｈ２７より高いチャンネルを阻止帯域とするように構成されており，遠方の放送局からの電波であるｃｈ１３〜２５の信号を通過させるためのものである。
【００２４】
前記ＢＰＦの出力は，前記ＢＥＦと前記ＨＰＦとの相互接続点に接続されており，前記ＢＰＦを通過した少なくともｃｈ３５の特定の信号は，前記ＢＥＦを通過した少なくともｃｈ３５をＢＥＦで除かれたｃｈ２７〜４４と合成されてから前記ＨＰＦに入力され，ＯＵＴＰＵＴから出力される。
また，前記ＬＰＦの出力は前記ＨＰＦの出力と接続されており，前記ＬＰＦを通過したｃｈ１３〜２５の信号はＯＵＴＰＵＴから出力される。
図２にＯＵＴＰＵＴにおける周波数特性の一例を示す。
【００２５】
このように本願の実施例のように，地元の放送局（例えばｃｈ３３）やサテライト局から送信されるｃｈ２７〜４４の範囲内にある信号を受信しつつ，遠方にある放送局からの特定の信号（例えばｃｈ３５）及び電波塔から送信されるｃｈ１３〜２５の範囲内にある信号を受信しようとすると，近接する信号と相互に干渉することなく混合することが必要となるが，このためには，特定の信号であるｃｈ３５が，地元の電波を受信するためのアンテナに回り込んで受信されてしまうのをＢＥＦで効率よく阻止すると共に，特定の信号であるｃｈ３５を地元の電波に影響されずに受信するためにＢＰＦを狭帯域に形成する必要がある。ところでこのＢＥＦやＢＰＦを特性良く形成するためには，回路が複雑になり，スペースが必要となり，延いては製品のコストがアップしてしまう。そのためにＢＥＦは特定の信号を簡単且つ安定的に阻止できるものではならないし，ＢＰＦではこの前に特定の信号に影響を与えるｃｈ３３に対するＴＲＦを備えることによって，ＢＰＦの通過帯域であるｃｈ３５の下側と，阻止帯域であるｃｈ３３の上側における周波数特性を急峻に切り込ませて，ｃｈ３３に対する阻止量を改善する方法が簡単でよい。
【００２６】
ところでこのようなＢＥＦを構成するトラップ回路には，コンデンサーＣ９とコイル５の並列共振回路に容量性リアクタンスであるコンデンサーＣ８を介して伝送線路に接続する容量結合のトラップ回路が適している。
このようなトラップ回路に用いられる容量性リアクタンスとしてはコンデンサーを用いるのであるが，通常このコンデンサーは１ｐＦ以下の容量のものが使用される場合が多く，上述のように急峻な特性を必要とする場合は，例えば０．２〜０．５ｐＦ程度の微小な容量が要求される。このような微小な容量を実現するためには，コンデンサーを複数個接続して希望の容量を実現する方法を取るのであるが，この方法では希望する容量を得ることが難しかったり，バラツキが大きかったり，更に「Ｑ」の低減が起きるので実現することが困難であった。このことは前記ＴＲＦを構成するコンデンサーＣ２３とコイルＬ９の並列共振回路にコンデンサーＣ２２とからなるトラップ回路においても同様である。
【００２７】
そこで本願においては，ＢＥＦは図３及び図４に示すごとく，プリント基板ＰＫ上に形成された信号線Ｐと，この信号線Ｐの近傍に備えたコンデンサーＣ９とコイルＬ５とから成る並列共振回路との間に，該並列共振回路に一方を半田付け等で接続し，他方を自由端とした所定長のジャンパー線Ｃ８を備え，該ジャンパー線Ｃ８を前記伝送線路Ｐの配設方向と略同じ方向となるように相互に沿わせるように配設し容量結合させるように形成したものであり，信号線Ｐとジャンパー線２２との結合度を可変することによって所定の微小容量のコンデンサーとして使用するものであり，簡単な構成で「Ｑ」が高く取れ，微調整が容易であり且つ安価に構成できるのである。同様に図１におけるＴＲＦのＣ２２においても同様な構成で微小容量を構成できる事は言うまでもない。
尚，ジャンパー線２２として銅線にポリウレタンを被覆したポリウレタン線のような絶縁体を備えた線材を用いれば，信号線Ｐの構成材料である銅箔と線材との間に絶縁体を備えることになるので，相互に短絡する恐れがない。また，信号線Ｐにレジストを被覆させても良い。またこのジャンパー線の幅は，伝送線路Ｐの幅と略等しいかやや小さい線径のものを使用して，所定の容量を形成するように構成されている。
尚，本発明は上記実施の形態に限定されるものではなく，たとえば容量性リアクタンスとしてのコンデンサーを形成する手段としてジャンパー線の代わりに，金属材料をプレス成形したものでもよいなど，本発明の趣旨を逸脱しない範囲で各部の構成を適宜に変更して実施することも可能である。また，実施例に示した周波数配列は一般的な例を示したものであり，この実施例に限定されるものでないことは言うまでもない。
【図面の簡単な説明】
【００２８】
【図１】本願に係るフィルタ回路を備えた共同受信用フィルタ回路の実施例である。
【図２】図１に示す共同受信用フィルタ回路の周波数特性例を示す。
【図３】共同受信用フィルタ回路をプリント基板に実装した例を示す正面図である。
【図４】図３におけるＡ−Ａ線断面図である。
【符号の説明】
【００２９】
Ｃ１〜１７…コンデンサー，Ｃ２１〜３３…コンデンサー，Ｃ３８〜４０…コンデンサー，Ｌ１〜Ｌ１８…コイル，Ｒ１〜３…抵抗，Ｒ２１〜２３…抵抗，ＳＷ１・ＳＷ２…切替スイッチ，ＩＮＰＵＴ１，ＩＮＰＵＴ２…入力端子，ＯＵＴＰＵＴ…出力端子，ＢＥＦ…バンドエルミネイトフィルタ，ＢＰＦ…バンドパスフィルタ，ＨＰＦ…ハイパスフィルタ，ＬＰＦ…ローパスフィルタ，ＴＲＦ…トラップ回路，ＰＫ…プリント基板，Ｐ…信号線
【図１】
2006197027.tif 000003
【図２】
2006197027.tif 000004
【図３】
2006197027.tif 000005
【図４】
2006197027.tif 000006